(57)【要約】      （修正有）【課題】曲線部が比較的に長い握り部を有する杖や傘であっても、取り付け可能な転倒防止具を提供する。【解決手段】杖、傘を立てかけたとき、立てかけ対象物に当接する位置に、滑り止め作用を有するシート又はテープを取り付けてなる転倒防止具４である。取り付けに際して皺や隙間ができなくするための手段を備えている。前記取り付けに際して皺や隙間ができなくするための手段は、例えば、長手方向両側面に複数の切り込み４１が設けられていて、輪郭が波状であるシート又はテープの形状である。【選択図】図２
2010259775.tif 000002
【特許請求の範囲】
【請求項１】
杖、傘、釣り竿のいずれかの握り部に取り付ける摩擦カバーシートであって、該摩擦カバーシートの表面側に取り付けに際して皺や隙間ができなくするための手段を設け、裏面側に接着剤とその接着剤を被覆する剥離シート（４５）を設けたことを特徴とする摩擦カバーシート（４，４Ａ，４Ｂ，４Ｃ，４Ｄ，４Ｅ，４Ｆ，４Ｇ，４Ｈ）。
【請求項２】
前記取り付けに際して皺や隙間ができなくするための手段が、長手方向両側面に複数の切り込み（４１）が設けられていて、輪郭が波状であるシート又はテープの形状である請求項１記載の摩擦カバーシート（４，４Ａ，４Ｂ，４Ｃ）。
【請求項３】
前記取り付けに際して皺や隙間ができなくするための手段が、複数に分かれた断片状の滑り止め作用を有するシート又はテープである請求項１記載の摩擦カバーシート（４Ｄ，４Ｆ）。
【請求項４】
前記取り付けに際して皺や隙間ができなくするための手段が、複数の切り抜き（４９）を長手方向に設けたシート又はテープである請求項１記載の摩擦カバーシート（４Ｅ）。
【請求項５】
前記滑り止め作用を有するシート又はテープが、滑り止め用樹脂からなるものである請求項１〜４のいずれかに記載の摩擦カバーシート。
【請求項６】
前記滑り止め作用を有するシート又はテープが、シート状物に滑り止め用樹脂（４８，４８Ｃ，４８Ｄ）を塗布または印刷したものである請求項１〜４のいずれかに記載の摩擦カバーシート。
【請求項７】
前記滑り止め作用を有するシート又はテープと裏面の接着剤層の間に弾力材層を設けた請求項１〜６のいずれかに記載の摩擦カバーシート。
【請求項８】
前記剥離シート（４５）に長手方向中央に、貼付を容易にするための切り込み（４６）を設けた請求項１〜７のいずれかに記載の摩擦カバーシート。
【請求項９】
前記取り付けに際して皺や隙間ができなくするための手段が、スリット（５１）を備えた弾力性を有する短筒（５）であって、表面が滑り止め作用を有するものである請求項１記載の摩擦カバーシート（４Ｇ）。
【請求項１０】
請求項１〜９のいずれかに記載の摩擦カバーシートを転倒防止具として有する杖、傘。
【請求項１１】
再帰反射シール（６）を貼付している請求項１０記載の杖、傘。
【請求項１２】
請求項１〜９のいずれかに記載の摩擦カバーシートを外れ防止具として有する釣り竿（７）。
【発明の詳細な説明】
【技術分野】
【０００１】
本発明は、摩擦カバーシート及びそれを取り付けた杖、傘、釣り竿に関する。
【背景技術】
【０００２】
杖や傘を手から離して壁やベンチの背もたれなどに立てかけることがある。そのようなとき、杖や傘がバランスを崩して転倒することがよくある。わずかな風や振動でも杖や傘はバランスを崩すこともある。
【０００３】
杖の転倒防止を目的とする発明・考案は公知であり、例えば、特開２００１−２９２８１８では、杖の握り部に衝撃吸収シートを取り付けた発明を開示している。実用新案登録第３０７２７８６号でも「摩擦力の高い材料」を傘の握り部に取り付ける提案をしている。
【０００４】
また、別の局面で、釣りをしているときに、握り部が濡れたり、強い引きが来たりしたとき、釣り竿を落としたり、かかった魚に持って行かれたりすることがある。
【０００５】
釣り竿握り部の外れ防止効果を高めることを目的とする発明・考案も公知であり、たとえば、特開２００４−５７０３５が知られている。この発明では、空気溜まりとなる中空部分を有している吸着部分を握り部に取り付けている。
【発明の開示】
【発明が解決しようとする課題】
【０００６】
前記特開２００１−２９２８１８の衝撃吸収シートを取り付ける握り部及び特開２００４−５７０３５の握り部は、長手方向断面が直線状の部品からなるので、シートは問題なく取り付けられる。前記実用新案登録第３０７２７８６号では、摩擦力の高い材料は握り部のごく一部分だけ埋め込まれている。
【０００７】
これらの従来技術で使用する「衝撃吸収シート」、「吸着部分」、「摩擦力の高い材料」は直線的な握り部に取り付けることを目的としている。しかし、市販されている杖、傘、釣り竿は、握り部の長手方向断面が曲線・曲面からなるものが多く、これらに対しては、従来技術は適用困難である。
【０００８】
本発明では、長手方向断面が曲線・曲面からなる握り部を有する杖、傘、釣り竿であっても適用可能とした、摩擦カバーシート及びそれを取り付けた杖、傘、釣り竿を提供することを目的とする。
【課題を解決するための手段】
【０００９】
本発明は、第１の観点では、杖、傘、釣り竿の握り部に取り付ける摩擦カバーシートであって、該摩擦カバーシートの表面側に、取り付けに際して皺や隙間ができなくするための手段を設け、裏面側に、接着剤とその接着剤を被覆する剥離シートを設けたことを特徴とする。
【００１０】
好ましくは、取り付けに際して皺や隙間ができなくするための手段は、次のようなものである。
（１）長手方向両側面に複数の切り込みが設けられていて、輪郭が波状であるシート又はテープの形状であるもの、
（２）複数に分かれた断片状の滑り止め作用を有するシート又はテープであるもの、
（３）複数の切り抜きを長手方向に設けたシート又はテープであるもの。
【００１１】
好ましくは、前記滑り止め作用を有するシート又はテープは滑り止め用樹脂（例えば、シリコーン樹脂、ポリウレタン樹脂）からなる。
【００１２】
さらに好ましくは、前記滑り止め作用を有するシート又はテープがシート状物（例えば、樹脂シート、生地、フィルム、等）に滑り止め用樹脂（例えば、シリコーン樹脂、ポリウレタン樹脂、等）を塗布又は印刷してなる。部分的に滑り止め用樹脂を盛り上げて、凹凸を付けることもできる。
【００１３】
さらに好ましくは、前記滑り止め作用を有するシート又はテープと裏面の接着剤層の間に弾力材層（シリコーンゴム、軟質ポリウレタン樹脂、等）を設ける。
【００１４】
さらに別法では、前記取り付けに際して皺や隙間ができなくするための手段は、スリットを備えた弾力性を有する短筒であって、表面が滑り止め作用を有するものである。
【００１５】
本発明は第２の観点では、杖、傘を立てかけたとき、立てかけ対象物に当接する位置に、前記摩擦カバーシートを取り付けてなる転倒防止具を備えている杖、傘である。
【００１６】
本発明第２の観点では、釣り竿の握り部に、前記摩擦カバーシートを取り付けてなる外れ防止具を備えている釣り竿である。
【発明の効果】
【００１７】
本発明の、摩擦カバーシートは、従来技術では適用が難しかった曲線部を有する握り部を有する杖、傘、釣り竿であっても適用可能である。
【００１８】
本発明の杖、傘は、摩擦カバーシートを握り部に備えているので、手から離して壁やベンチの背もたれなどに立てかけたとき、転倒しにくい。また、取り付けに際して皺や隙間ができなくするための手段を備えているので、長期間使用しても転倒防止具が杖や傘から剥がれにくい。
【００１９】
本発明の釣り竿は、摩擦カバーシートを握り部に備えているので、握り部が濡れたり、強い引きが来たりしたときでも、釣り竿を落としたり、かかった魚に持って行かれたりすることが少なくなる。
【００２０】
以下、添付の図面に基づき、本発明の実施例を説明する。
【図面の簡単な説明】
【００２１】
【図１】本発明の転倒防止具を取り付けた杖の第１実施例である。
【図２】転倒防止具の第１実施例である。
【図３】転倒防止具の第２実施例である。
【図４】転倒防止具の第３実施例である。
【図５】転倒防止具の第４実施例である。
【図６】転倒防止具の第５実施例である。
【図７】転倒防止具の第６実施例である。
【図８】転倒防止具の第７実施例である。
【図９】転倒防止具の第８実施例である。
【図１０】釣り竿の外れ防止具に適用した本発明の第９実施例である。
【図１１】第９実施例の使用状態を示す斜視図である。
【実施例１】
【００２２】
図１は、本発明の摩擦カバーシート４からなる転倒防止具を取り付けた杖１の第１実施例である。この図に見られるように、本体２上部に取り付けられる握り部３は完全Ｔ字型ではなく、なだらかな曲面を有しており、シート状のものを単に貼付することは困難である。無理に貼付すると、皺や隙間ができやすく、そこから剥がれやすくなるものである。
【００２３】
本実施例では、図２に示すような形状の転倒防止具を握り部３に貼付する。この転倒防止具は、縦４．５ｃｍ、横１０ｃｍのシートであり、長手方向両側面に複数の切り込み４１が設けられているので、輪郭は波状である。両側面の切り込みが対称的に設けられているので、波の山４２で幅が最高になり、波の谷４３で幅が最低となっている。山と山の間隔は１ｃｍ〜２ｃｍである。
【００２４】
このシートは、滑り止め用シリコーン樹脂シートである。表面にはさまざまな柄やデザインを印刷することができるし、その上からシリコーン樹脂やポリウレタン樹脂等を塗布することもできる。裏面側には、接着剤４４が塗布されている。裏側接着面は、剥離シート４５により塗布面が保護されている。剥離シート４５には、図２（ａ）に示すように、長手方向中央部に２本の切り込み４６が設けられている。
【００２５】
杖の握り部３に貼付するには、まず、剥離シートの２本の切り込み４６に沿って、テープ状となった剥離シート４５を剥がす。そして、図２（ｂ）に示すように、杖の握り部３の上部に、露出したシートの接着面を付着させる。最後に、図２（ｃ）に示すように、両側の剥離シート４５を剥がして杖の握り部両側面に押しつける。
【００２６】
このようにすることにより、シートは皺や隙間を作ることなく、杖の握り部３に貼付することができる。
【００２７】
なお、杖末端の石突き７には、再帰反射シール６を貼付して、運転手が夜間でも歩行者に気が付くことができるようにしている。
【００２８】
図示しないが、傘の柄についても同様の転倒防止具を取り付けることができる。
【実施例２】
【００２９】
図３は、摩擦カバーシート４Ａからなる転倒防止具の第２実施例である。
【００３０】
この転倒防止具も、滑り止め用シリコーン樹脂シートであり、裏面側には、接着剤が塗布されている。第１実施例と異なるのは、杖の握り部両側面に位置する部分４７が盛り上げられていること、及び、滑り止め用シリコーン樹脂シートと接着剤層の間に弾力材層４７１が設けられていることである。弾力材層４７１は、たとえば、シリコーンゴム、軟質ポリウレタン樹脂、等からなる。このように滑り止め用シリコーン樹脂シートを盛り上げることにより、立てかけ対象物の表面に凹凸があっても、当接する面積を保つことができ、また弾力材により衝撃緩和効果が得られる。
【実施例３】
【００３１】
図４は、摩擦カバーシート４Ｂからなる転倒防止具の第３実施例である。先行実施例と同一の機能を有する部材には、同一参照符号に「Ｂ」を付けて用いている。
【００３２】
この転倒防止具は、合成樹脂シートの表面側に滑り止め用シリコーン樹脂４８を塗布している。
【００３３】
シリコーン樹脂４８は、表面側において、杖の握り部両側面４７Ａに位置する部分に指紋のような模様を形成しており、裏面側において、弾力材層４８１が設けられている。中央長手方向に模様のない平らな部分が形成されている。
【実施例４】
【００３４】
図５は、摩擦カバーシート４Ｃからなる転倒防止具の第４実施例である。先行実施例と同一の機能を有する部材には、同一参照符号に「Ｃ」を付けて用いている。実施例３とよく似ているが、滑り止め用シリコーン樹脂４８Ｃが形成する模様が異なる。
【実施例５】
【００３５】
図６（ａ）（ｂ）は、摩擦カバーシート４Ｄからなる転倒防止具の第５実施例である。先行実施例と同一の機能を有する部材には、同一参照符号に「Ｄ」を付けて用いている。
【００３６】
上記実施例１〜４と異なり、転倒防止具は複数（図示では４枚）の楕円形合成樹脂シートからなる。滑り止め用シリコーン樹脂４８Ｄは、粒状に合成樹脂シートの上に塗布されている。
【実施例６】
【００３７】
図７は、摩擦カバーシート４Ｅからなる転倒防止具の第６実施例である。先行実施例と同一の機能を有する部材には、同一参照符号に「Ｅ」を付けて用いている。
【００３８】
この転倒防止具は、１枚の合成樹脂シートであり、滑り止め用シリコーン樹脂４８Ｅが、粒状に合成樹脂シートの上に塗布されている。長手方向中央部に切り欠いた楕円状の切り抜き４９が設けられている。
【実施例７】
【００３９】
図８は、摩擦カバーシート４Ｆからなる転倒防止具の第７実施例である。先行実施例と同一の機能を有する部材には、同一参照符号に「Ｆ」を付けて用いている。
【００４０】
この転倒防止具４Ｆは、１枚の細幅テープ状シリコーン樹脂シートである。杖の握り部の長手方向に２本貼付している。
【実施例８】
【００４１】
図９は、摩擦カバーシート４Ｇからなる転倒防止具の第８実施例である。先行実施例と同一の機能を有する部材には、同一参照符号に「Ｇ」を付けて用いている。
【００４２】
この転倒防止具は杖の握り部３以外の所に取り付けるものであって、短筒状の合成樹脂である。表面には、前記各実施例のように、滑り止め用のシリコーン樹脂４８Ｇ又はシートが塗布又は接着されている。
【００４３】
この転倒防止具は、幅方向に上下を貫通するスリット５１が一カ所形成されているので、そのスリット５１を指で開いて、例えば杖の本体部に弾力的に被せるように付着させることができる（図１参照）。このようにすることにより、杖の握り部３が立てかけ対象物に当接しないような場合（例えばベンチの腰掛けなど）でも、杖の適当な位置にこの転倒防止具を、取り付けたり、移動させたりして、立てかけ対象物に当接させることができる。
【実施例９】
【００４４】
図１０、図１１は、本発明の摩擦カバーシート４Ｈを使用した第９実施例であり、摩擦カバーシートからなる外れ防止具を取り付けた釣り竿である。表面模様が異なるだけで、構造は第３実施例、第４実施例とほぼ同じである。先行実施例と同一の機能を有する部材には、同一参照符号に「Ｈ」を付けて用いている。
【先行技術文献】
【特許文献】
【００４５】
【特許文献１】特開２００１−２９２８１８
【特許文献２】実用新案登録第３０７２７８６号
【特許文献３】特開２００４−５７０３５
【符号の説明】
【００４６】
１     杖
２     杖の本体
３     杖の握り部
４     転倒防止具
４１  切れ込み
４２   波の山
４３   波の谷
４４   接着剤
４５   剥離シート
４７   握り部両側面部分
４８，４８Ｃ，４８Ｄ，４８Ｄ，４８Ｇ    滑り止め用シリコーン樹脂
４Ａ〜４Ｇ    杖、傘の転倒防止具
４Ｈ    釣り竿の外れ防止具
５１   スリット
６     再帰反射シール
７    釣り竿
【図１】
2010259775.tif 000003
【図２】
2010259775.tif 000004
【図３】
2010259775.tif 000005
【図４】
2010259775.tif 000006
【図５】
2010259775.tif 000007
【図６】
2010259775.tif 000008
【図７】
2010259775.tif 000009
【図８】
2010259775.tif 000010
【図９】
2010259775.tif 000011
【図１０】
2010259775.tif 000012
【図１１】
2010259775.tif 000013